(57)【要約】【課題】特に表面プラズモン共鳴測定において、様々な物質が共存するサンプルにおいても、非特異吸着がなく精密な生体分子の相互作用を観察する方法を提供する。【解決手段】表面に導入した非イオン性官能基に、ヘテロ二官能基型親水性高分子を共有結合的に結合し、該親水性高分子の末端と生体分子を直接的または間接的、化学的結合または物理的吸着により、生体分子を固体表面上に固定化し、固定化した生体分子と、生体分子あるいは生体分子集合体との相互作用を観察する方法【特許請求の範囲】
【請求項１】
表面に導入した非イオン性官能基に、ヘテロ二官能基型親水性高分子を共有結合的に結合し、該親水性高分子の末端と生体分子を直接的または間接的、化学的結合または物理的吸着により、生体分子を固体表面上に固定化し、固定化した生体分子と、生体分子あるいは生体分子集合体との相互作用を観察する方法
【請求項２】
非イオン性官能基がヒドロキシ基、トシル基、トレシル基、スクシンイミド基、チオール基、アルデヒド基、ビニル基、イソシアネート基、エポキシ基から選ばれる一つである請求項１記載の方法
【請求項３】
ヘテロ二官能基型親水性高分子の分子量が１，０００以上、１０，０００以下である請求項１もしくは２記載の方法
【請求項４】
ヘテロ二官能基型親水性高分子の繰り返し単位がエチレングリコールである請求項１〜３いずれか記載の方法
【請求項５】
ヘテロ二官能基型親水性高分子の官能基がアミノ基、カルボキシル基、スルホン化スクシンイミド基、マレイミド基、チオール基、アルデヒド基、ビニル基、イソシアネート基、エポキシ基、ヒドラジド基、アジド基の群から選ばれる二つである請求項１〜４いずれかに記載の方法
【請求項６】
固体表面が平面基板である請求項１〜５いずれかに記載の方法
【請求項７】
固体表面が平面基板上の金薄層である請求項１〜６いずれかに記載の方法
【請求項８】
金−硫黄結合を利用して表面に非イオン性官能基を導入した金表面に、ヘテロ二官能性親水性高分子を用いて生体分子を固定化する請求項１〜７いずれかに記載の方法
【請求項９】
複数の生体分子をアレイ状に固定化する請求項１〜８いずれかに記載の方法
【請求項１０】
固定化する複数の生体分子が３種類以上である請求項１〜９いずれかに記載の方法
【請求項１１】
固定化する生体分子が抗体である請求項１〜１０いずれかに記載の方法
【請求項１２】
細胞抽出液もしくは体液に含まれる物質の相互作用を解析する請求項１〜１１いずれかに記載の方法
【請求項１３】
相互作用を表面プラズモン共鳴法によって観察する請求項１〜１２いずれかに記載の方法
【発明の詳細な説明】
【技術分野】
【０００１】
本発明は、表面に導入した非イオン性官能基にヘテロ二官能型親水性高分子を共有結合的に固定化し、親水性高分子を介して生体分子を表面に固定化することにより、生体分子の相互作用を観察する方法に関する
【背景技術】
【０００２】
生体分子の生体内における機能を解析する手段として、生体分子の相互作用が調べられてきた。相互作用を調べる手段の一つとして、結合ペアの一方の分子（Ａ）を固体表面に固定化して、測定対象となる分子（Ｂ）との相互作用を解析する方法が一般的に用いられている。しかし、Ａを表面に固定化するために固体表面に結合している分子、もしくは固体表面そのものへの、Ｂの非特異吸着が存在する場合、結合を何らかの形で検出できたとしても、本当に特異的な結合であるかどうかの判断がつきにくい場合が多い。
【０００３】
Ｂが純粋な系である場合は、Ｂの非特異吸着のみを考慮に入れればよいが、Ｂが細胞破砕液もしくは細胞抽出液、血清などの体液成分に含まれている場合は、さまざまな物質が溶液中に含まれているため、Ｂ以外の物質が非特異的吸着した場合の悪影響も考えられる。
【０００４】
従来の技術として非特異的吸着を抑える手段として牛血清アルブミン（ＢＳＡ）やミルクカゼインなどを固体表面に接触させ、ブロッキングする手段が考えられてきた。しかし、ブロッキングは単なる物理吸着であり、その表面への結合強度は弱い場合があり、徐々に剥がれて落ちていくことがある。また、ブロッキングによって、固定化されたＡが埋もれ、相互作用が検出されない場合もある。
【０００５】
そこで、Ａを固定化するための分子を親水性物質とし、ブロッキング操作をしなくても非特異的吸着を低減する手段が検討されてきた。例えば、核酸分子を共有結合で固定化する方法において、核酸分子を合成する際にポリエチレングリコールのスペーサーを設ける方法が示されている（例えば特許文献１参照）。ここでは目的配列と固定化用官能基の間にポリエチレングリコールのスペーサーを設けており、非特異的吸着を抑制する効果が期待できる。しかし、Ａを表面に固定化するために固体表面に結合している分子に対してＢの非特異的吸着は全く考慮に入れられていない。
【０００６】
まず、この方法ではアルカンチオールの自己組織化表面を作製し、表面にアミノ基を導入する。このアミノ基は表面に密に充填されている。これにスクシンイミド基とマレイミド基を有する架橋剤を反応させ、最後に核酸分子を共有結合的に固定化させる。自己組織化表面によって導入したアミノ基の全てが、架橋剤のスクシンイミド基と反応することはできないため、固体表面にはアミノ基が多量に存在し、プラスの電荷を有している。これでは、Ｂがマイナス電荷を有する場合、もしくはＢの溶液にマイナス電荷を有する物質が含まれている場合、非特異的吸着が生じる結果となる。
【０００７】
また、使用している架橋剤の主鎖はシクロヘキサン環であり、非常に疎水性が高い。この場合、Ｂが疎水性部位を有する物質である場合、もしくはＢの溶液中に疎水性物質を含む場合、非特異的吸着を生じる危険性がある。
【０００８】
米国特許では表面に糖のハイドロゲルを形成し、ゲル内に官能基を設けることで非特異的吸着を抑制する方法が開示されている。非常に効果のある方法ではあるが、ゲルの内部と外部では対象物質の浸透、拡散速度が異なるため、リアルタイムに相互作用Ｋｉｎｅｔｉｃｓを厳密に測定する方法としては不適当である。また、糖は生体分子の一つであり、糖に相互作用する物質が試料中に含まれている場合は応用することはできない。（例えば、特許文献２参照）。
【０００９】
また、親水性高分子を有するスペーサーの末端に生体分子を固定化するための官能基を有し、もう一方の末端に固体表面に直接結合できる官能基をもつ分子が設計され、相互作用観察に成功している。しかし、この物質単独が表面に密に充填するのは難しく、その他の親水性基末端物質と混合して表面に固定化される。非特異的吸着を抑制するために、親水性基末端物質を高い比率で混合する結果となり、表面に生体分子が固定化される密度は低くなるため、測定感度は低い問題点が生じる。また、設計された分子は一般的ではなく、入手困難であることも問題点である。（例えば、非特許文献１，２参照）
【００１０】
米国特許５６２９２１３には金属基板にアニオン性の物質を導入し、ポリカチオンであるポリＬリジンを固定化し、その上に分子（Ｂ）に対して特異性のある物質を固定化し、表面プラズモン共鳴法によって検出する方法が開示されている。この方法では、金属基板に密にアニオン性物質が充填され、次にポリＬリジンを積層させることで、表面が強いプラス電荷を有する。実施例ではこの表面にストレプトアビジンを固定化し、ビオチン化抗体を固定化して、分子（Ｂ）を検出する。しかし、分子（Ｂ）が細胞抽出液もしくは体液に含まれる場合、細胞抽出液もしくは体液中に含まれるイオン性物質が、ポリＬリジン層、もしくは基板上に密に導入されたアニオン性物質に非特異的に吸着する恐れがある。この場合、細胞抽出液もしくは体液中の物質の検出することは困難である。（特許文献３参照）
【００１１】
特表２００２−５２０６２０にも抗体を基板に固定化したアレイが開示されている。ここには細胞抽出液を解析する概念も示されており、密に充填する単層（有機薄層）にポリマーを使用する概念も示されている。有機薄層は、表面上への分子の非特異的結合を減少させる官能基（例えば、ポリエチレングリコール（ＰＥＧ）を保有し得るとの記述があるものの、非イオン性官能基を導入したのちにＰＥＧを固定化する具体的な方法は記載されていない。（特許文献４）
【００１２】
【特許文献１】国際公開第００／６７０２８号
【特許文献２】米国特許５４３６１６１
【特許文献３】米国特許５６２９２１３
【特許文献４】特表２００２−５２０６２０
【非特許文献１】Ｓｉｇａｌ  ｅｔ．ａｌ．  Ａｎａｌ．Ｃｈｅｍ．  ６８（１９９６）４９０−４９７
【非特許文献２】Ｊｕｎｇ  ｅｔ．ａｌ．  Ｌａｎｇｍｕｉｒ  １６（２０００）９４２１−９４３２
【発明の開示】
【発明が解決しようとする課題】
【００１３】
本発明は非イオン性官能基にヘテロ二官能型親水性高分子を架橋剤に用いて生体分子を固定化し、非特異的吸着を抑制することを可能とする。
【００１４】
本発明は、表面に導入した非イオン性官能基にヘテロ二官能型親水性高分子を共有結合的に固定化し、親水性高分子を介して生体分子を表面に固定化することにより、生体分子の相互作用を観察する方法を提供することにある。
【課題を解決するための手段】
【００１５】
本発明者らは鋭意検討した結果、以下に示す手段により、上記課題を解決できることを見出した。
１．表面に導入した非イオン性官能基に、ヘテロ二官能基型親水性高分子を共有結合的に結合し、該親水性高分子の末端と生体分子を直接的または間接的、化学的結合または物理的吸着により、生体分子を固体表面上に固定化し、固定化した生体分子と、生体分子あるいは生体分子集合体との相互作用を観察する方法
２．非イオン性官能基がヒドロキシ基、トシル基、トレシル基、スクシンイミド基、チオール基、アルデヒド基、ビニル基、イソシアネート基、エポキシ基から選ばれる一つである１記載の方法
３．ヘテロ二官能基型親水性高分子の分子量が１，０００以上、１０，０００以下である１もしくは２記載の方法
４．ヘテロ二官能基型親水性高分子の繰り返し単位がエチレングリコールである１〜３いずれか記載の方法
５．ヘテロ二官能基型親水性高分子の官能基がアミノ基、カルボキシル基、スルホン化スクシンイミド基、マレイミド基、チオール基、アルデヒド基、ビニル基、イソシアネート基、エポキシ基、ヒドラジド基、アジド基の群から選ばれる二つである１〜４いずれかに記載の方法
６．固体表面が平面基板である１〜５いずれかに記載の方法
７．固体表面が平面基板上の金薄層である１〜６いずれかに記載の方法
８．金−硫黄結合を利用して表面に非イオン性官能基を導入した金表面に、ヘテロ二官能性親水性高分子を用いて生体分子を固定化する１〜７いずれかに記載の方法
９．複数の生体分子をアレイ状に固定化する１〜８いずれかに記載の方法
１０．固定化する複数の生体分子が５種類以上である１〜９いずれかに記載の方法
１１．固定化する生体分子が抗体である１〜１０いずれかに記載の方法
１２．相互作用を表面プラズモン共鳴法によって観察する１〜１１いずれかに記載の方法
１３．相互作用を表面プラズモン共鳴イメージング法によって観察する１〜１２いずれか記載の方法
【発明の効果】
【００１６】
本発明により、表面に導入した非イオン性官能基にヘテロ二官能型親水性高分子を共有結合的に固定化し、親水性高分子を介して生体分子を表面に固定化することで、生体分子の相互作用を観察する方法を提供する。
【発明を実施するための最良の形態】
【００１７】
以下に本発明を詳細に説明する。本発明は、表面に導入した非イオン性官能基にヘテロ二官能型親水性高分子を架橋剤に用いて生体分子の固定化し、分子間の相互作用を観察する方法を開示している。
【００１８】
生体分子間の相互作用を解析する方法として、結合ペアの一方の分子（Ａ）を固体表面に固定化して、測定対象となる分子（Ｂ）との相互作用を解析する方法が一般的に用いられている。しかし、分子（Ａ）を表面に固定化するために固体表面に結合している分子、もしくは固体表面そのものへの、分子（Ｂ）の非特異吸着が存在する場合、結合を何らかの形で検出できたとしても、本当に特異的な結合であるかどうかの判断がつきにくい場合が多い。
【００１９】
本発明は、分子（Ａ）を表面に固定化するために固体表面に導入される官能基は非イオン性である。表面に導入される官能基としてヒドロキシ基、トシル基、トレシル基、スクシンイミド基、チオール基、アルデヒド基、ビニル基、イソシアネート基、エポキシ基などが挙げられる。これらは非イオン性であるため、表面に未反応のまま残ったとしても、表面への静電的な非特異的吸着の恐れがない。
【００２０】
上記に挙げた非イオン性官能基にも、他の官能基に対して結合反応の活性の高いものがあるが、共有結合によるブロッキングも容易であるため、大きな問題とはならない。これに対し、イオン性官能基を表面に多数有する場合は、ブロッキングが困難である場合が多く好ましくない。従って、固体表面に密に導入される官能基がイオン性であると、未反応のイオン性官能基と分子（Ｂ）の非特異的に吸着、もしくは分子（Ｂ）を含む溶液中の物質が吸着した場合、測定に影響を与えることがあり好ましくない。
【００２１】
表面に官能基を導入する方法は特に限定されるものではないが、例えば固体基板が金属である場合、金属結合性官能基を片末端に、非イオン性官能基をもう一つの末端に有するアルカン物質を用いて表面に官能基を導入することができる。より具体的には金表面にアルカンチオールの自己組織化表面を形成させ、非イオン性官能基を導入することが可能である。また、ガラス基板の場合、シランカップリング剤を用いて官能基を容易に導入することができる。
【００２２】
本発明では非イオン性官能基にヘテロ二官能型親水性高分子を共有結合的に結合させる。該高分子は非特異的吸着を抑制するために親水性である必要がある。ここで言う親水性とは高分子が水溶性もしくは水に対して膨潤する性質を有することを意味し、高分子とはモノマーの繰り返し単位が３以上の物質と定義する。高分子の分子量は十分なスペーサーとして機能させるために１，０００以上が好ましい。しかし、架橋剤は一定のモル濃度が必要であり、分子量が大きすぎると、固定化に必要な架橋剤のグラム数が増大するため、分子量は１０，０００以下が好ましい。
【００２３】
高分子の材料は特に限定されるものではないが、親水性であることと鎖のフレキシビリティから、エチレングリコールを繰り返し単位にもつ、ポリエチレングリコールが好ましい。
【００２４】
表面に存在する官能基に対して、架橋剤の片末端の官能基が反応するが、もう一方の末端に存在する官能基は反応せずに残るのが好ましい。架橋剤の両末端が表面の官能基と反応するのであれば、ループを表面に形成し、生体分子を固定化するための官能基をもたなくなるので好ましくない。架橋剤の片方の末端が表面に反応して固定化された後に、反対側の末端に存在する別の官能基を利用して、生体分子を固定化する。従って、二つの異なる官能基を有するヘテロ二官能型の高分子であることが好ましい。
【００２５】
高分子の末端の官能基としてアミノ基、カルボキシル基、スクシンイミド基、スルホン化スクシンイミド基、マレイミド基、チオール基、アルデヒド基、ビニル基、イソシアネート基、エポキシ基、ヒドラジド基、アジド基などが挙げることができる。その中で反応する対象官能基が異なる組合せとして、アミノ基とカルボキシル基、アミノ基とマレイミド基が反応性の面で好ましい。
【００２６】
固体表面の非イオン性官能基にヘテロ二官能型親水性高分子が共有結合的に固定化されたのちに、該高分子の片末端の官能基を利用して分子（Ａ）が表面に固定化される。高分子の片末端と分子（Ａ）の結合は特に限定されるものではなく、共有結合、キレート結合、イオン結合、水素結合などが挙げられる。
【００２７】
本発明のヘテロ二官能基型親水性高分子を用いた後に、生体分子に結合する官能基、物質を導入することも、本発明に含まれる。例えば、ニトリロ三酢酸（ＮＴＡ）基を含む物質をヘテロ二官能型高分子によって固定化した後に、ヒスチジンタグ蛋白をニッケルキレート結合で表面に導入する方法や、ビオチンあるいはストレプトアビジンをヘテロ二官能基型架橋剤によって導入した後に、ビオチン化生体分子を表面に導入する方法などが考えられる。
【００２８】
本発明によって分子（Ａ）が親水性高分子を介して表面に固定化されることで、非特異的な結合が抑制される。しかし、本発明の効果は、非特異的結合の抑制だけにとどまらないと予想される。基板からスペースをとって分子（Ａ）が固定化されるためにスペーサーとして機能し、基板による影響、例えば立体障害による影響を軽減することができると期待される。また、ポリエチレングリコールなどに代表されるようなフレキシブルな高分子鎖を採用することで、固定化した分子（Ａ）にモビリティを与え、より溶液に近い状態で、相互作用を解析することが可能になると予想される。
【００２９】
生体分子を固定化する固体表面としては、相互作用解析に適した平面基板が好ましい。平面基板には、表面プラズモン共鳴（ＳＰＲ）法による相互作用解析が可能な金薄層が非常に好ましい。金薄層表面が好ましい理由はもう一つあり、金−硫黄結合を利用して、表面に官能基を導入できることが挙げられる。すなわち、チオール基あるいはジスルフィド基と反応の起点となる官能基の両方をもつ物質を用いることで、表面に官能基を導入できる。導入した官能基にヘテロ二官能基型架橋剤を反応させて、本発明を達成することができる。
【００３０】
また、固定化する物質は複数である方が、ハイスループットな解析ができるために好ましく、３種類以上の異なる生体分子を同時に解析できるのが好ましい。複数の物質を固定化するためにはアレイ状に物質を固定化するのが好ましく、それぞれの固定化部位にて相互作用を解析することが可能となる。固定化される生体分子は特に限定されるものではなく、核酸、タンパク質、ペプチド、糖鎖などが挙げられる。中でも安定であることと、多くの種類を容易に確保するという点で抗体が好ましい。
【００３１】
本発明の基板は電荷の影響が軽減されており、かつ親水性高分子を介して分子（Ａ）を固定化することができるため、非特異的吸着を抑制する効果を有する。従って、本方法は生体分子間の相互作用解析における生体分子の固定化方法として適している。相互作用解析の方法としてはＳＰＲ法が好ましく、アレイの解析が可能なＳＰＲイメージング法が特に好ましい。ＳＰＲ法はラベルフリーな相互作用解析方法であり、タンパク質が固定化生体分子に結合する解析に非常に適している。なぜならば、タンパク質はラベル操作によって活性を失う可能性があるためである。
【００３２】
分子（Ｂ）は特に限定されるものではないが、上記のようにタンパク質の場合に、本発明は適している。（Ｂ）が含まれる溶液も特に限定されるものではないが、緩衝液、細胞抽出液、血清・血漿などの体液などが挙げられる。本発明は非特異的吸着が少ない利点を有するため、細胞抽出液や血清中の物質の解析に応用可能である。細胞抽出液には、細胞破砕液、またそれらを希釈した液も含まれる。体液には生体から得られる液体成分すべてを含み、血液成分、精液などが挙げられる。
将来的には抗体を固定化したアレイを用いて、細胞内や血液内に存在する物質の解析に応用することが可能と期待できる。
【００３３】
表面プラズモン共鳴におけるシグナルの評価方法は特に限定されるものではないが、ランニングバッファを基準として、細胞抽出液や体液を流しいれる前後のシグナル差の結果（前後変化）を取ることが考えられる。また、細胞抽出液や体液を流しれた直後からの途中の変化（流入中変化）も取ることができる。非特異的な吸着が多い場合は、細胞抽出液・体液中の核酸や脂質などによる非特異的吸着が非常に速い速度で完了したのちに、流入中の変化を観察する手段が有効な場合がある。
【実施例】
【００３４】
以下に実施例を示して本発明を具体的に説明するが、本発明は実施例に限定されるものではない。
［実施例］
厚さ２ｍｍ、１８ｍｍ×１８ｍｍのＳＦ１５製透明ガラス基板上にクロム３ｎｍを蒸着した後、金を４５ｎｍ蒸着した。蒸着の厚みは水晶発振子にてモニターした。金が表面に蒸着された基板を８−Ｈｙｄｒｏｘｙ−１−Ｏｃｔａｎｅｔｈｉｏｌ（８−ＨＯＴ，同仁化学研究所製）の１ｍＭエタノール溶液に１６時間浸漬し、８−ＨＯＴの自己組織化表面を形成させた。この操作により基板表面に非イオン性のヒドロキシ基が導入できる。
【００３５】
Ｔｏｓｙｌ Ｃｈｌｏｒｉｄｅ（東京化成製）０．５ｇを５ｍｌの無水アセトンに溶解し、１ｍｌのピリジンを加えて中和した。この溶液中に上記のヒドロキシ基表面の金基板を１０分間浸漬し、ヒドロキシ基をトシル化した。トシル化した表面に分子量３，４００の末端にアミノ基とカルボシキル基を有するヘテロ二官能型ポリエチレングリコール（ＮＨ2−ＰＥＧ−ＣＯＯＨ，Ｎｅｋｔａｒ Ｔｈｅｒａｐｅｕｔｉｃｓ社製）をリン酸緩衝液（２０ｍＭ  リン酸、１５０ｍＭ  ＮａＣｌ、ｐＨ７．２）に１０ｍｇ／ｍｌで溶解し、金表面に２時間反応させた。表面に形成したトシル基とＮＨ2−ＰＥＧ−ＣＯＯＨのアミノ基が反応し、カルボキシル基は未反応のまま残るため、ＰＥＧを介してカルボキシル基を表面に導入することができた。
【００３６】
０．２Ｍ水溶性カルボジイミド（ＥＤＣ：ナカライテスク社製）、０．０５Ｍ Ｎ−ヒドロキシスクシンイミド（ナカライテスク社製）のリン酸緩衝液の溶液に金基板を一時間浸漬し、カルボキシル基をスクシンイミド化した。
【００３７】
得られたスクシンイミド化表面にＭｕｌｔｉＳＰＲｉｎｔｅｒ自動スポッター（東洋紡績社製）を用いて、抗アクチン抗体（Ｓａｎｔａ Ｃｒｕｚ社製）、抗ＫＯＤ抗体（東洋紡績社製）、抗ストレプトアビジン抗体（Ｖｅｃｔｏｒ Ｌａｂｏｒａｔｏｒｉｅｓ社製）を２００μｇ／ｍｌの濃度でスポットし、２時間反応させてアレイを作製した。スポットの大きさは直径約５００μｍである。以上の表面反応の化学式を図１に示す。
【００３８】
抗体を固定化した表面をリン酸緩衝液で洗浄した後、未反応のスクシンイミド基をブロックするため濃度１０ｍｇ／ｍｌのｍＰＥＧ−ＮＨ2（Ｎｅｋｔａｒ Ｔｈｅｒａｐｅｕｔｉｃｓ社製）のリン酸緩衝液溶液に金スライドを１５時間浸漬し、リン酸緩衝液で洗浄して抗体アレイを得た。
【００３９】
測定対象物質としては細胞抽出液内に豊富に存在するアクチンを選択した。細胞としてはマウスのＴｈｙｍｕｓ（胸腺）を用いた。マウスから胸腺を摘出し、哺乳類細胞溶解試薬ＣｅｌＬｙｔｉｃ  Ｍ（ＳＩＧＭＡ社製）を用い、Ｐｒｏｔｅｉｎａｓｅ阻害剤を加え、機械的に破砕し、遠心してその上清を採取した。最後に０．４５μｍのフィルターで濾過し、Ｔｈｙｍｕｓ抽出液とした。
【００４０】
抗体アレイを形成させた金チップをＭｕｌｔｉＳＰＲｉｎｔｅｒ ＳＰＲイメージング機器（東洋紡績社製）にセットし、リン酸緩衝液をフローセル内に流した。ＳＰＲからのシグナルが安定したのを確認した後に、Ｔｈｙｍｕｓ抽出液をリン酸緩衝液で１０倍希釈した液を約１５分間ＳＰＲ装置に流しいれ、次にリン酸緩衝液を流しいれて洗浄した。その際のシグナル変化を図２に示す。抗アクチン抗体を固定化したスポットにおいてＳＰＲのシグナルが大きく増大する結果が得られた。その他のスポットにおいても、シグナルの増大がみられたが、その程度は少ない。Ｔｈｙｍｕｓ抽出液の１０倍希釈液（１０×Ｔｈｙｍｕｓ）を流しいれている間にシグナルが増大するのは、細胞抽出液中の成分によるバルク効果によるものが大きい。リン酸緩衝液で流して洗浄した後でも、全てのスポットで多少なりともシグナルは増大している。このシグナルの差が非特異的吸着によるものであり、完全に非特異吸着を抑制することはできない。
【００４１】
しかし、本実施例において抗アクチン抗体への細胞抽出液中に存在するアクチンが特異的に吸着するのを検出できていると考える。リン酸緩衝液を流している状態を基準とし、１０×Ｔｈｙｍｕｓを流す前後のシグナル差の結果（前後変化）を表１に示す。また、１０×Ｔｈｙｍｕｓを流しいれ始めてから１分後と１５分後のシグナルの差（流入中変化）についても表１に示す。前後変化にせよ、流入中変化にせよ、抗アクチン抗体におけるシグナル変化は、他の抗体に比べて非常に大きい。
【００４２】
続けて、この抗体アレイに、１００ｎｇ／ｍｌの濃度でＫＯＤ（東洋紡績社製）を添加した１０×Ｔｈｙｍｕｓを流した時のＳＰＲシグナル変化を図７に示す。抗ＫＯＤ抗体におけるシグナルの上昇が非常に大きく、ＫＯＤを検出できていると言える。さらに、続けて１００ｎｇ／ｍｌの濃度でストレプトアビジン（ＳＡ：Ｖｅｃｔｏｒ Ｌａｂｏｒａｔｏｒｉｅｓ社製）を添加した１０×Ｔｈｙｍｕｓを流した時のＳＰＲシグナル変化を図８に示す。抗ＳＡ抗体におけるシグナルの上昇が非常に大きく、ＳＡを検出できていると言える。このように細胞抽出液中の物質を検出することが可能であった。
【００４３】
［比較例］
厚さ２ｍｍ、１８ｍｍ×１８ｍｍのＳＦ１５製透明ガラス基板上にクロム３ｎｍを蒸着した後、金を４５ｎｍ蒸着した。蒸着の厚みは水晶発振子にてモニターした。金が表面に蒸着された基板を７−Ｃａｒｂｏｘｙ−１−Ｈｅｐｔａｎｅｔｈｉｏｌ（７−ＣＨＴ，同仁化学研究所製）の１ｍＭエタノール溶液に１６時間浸漬し、７−ＣＨＴの自己組織化表面を形成させた。この操作により基板表面にマイナスの電荷を持ったカルボキシル基が導入される。
【００４４】
０．２Ｍ水溶性カルボジイミド（ＥＤＣ：ナカライテスク社製）、０．０５Ｍ Ｎ−ヒドロキシスクシンイミド（ナカライテスク社製）のリン酸緩衝液の溶液に金基板を一時間浸漬し、カルボキシル基をスクシンイミド化した。
【００４５】
得られたスクシンイミド化表面にＭｕｌｔｉＳＰＲｉｎｔｅｒ自動スポッター（東洋紡績社製）を用いて、抗アクチン抗体（Ｓａｎｔａ Ｃｒｕｚ社製）、抗ＫＯＤ抗体（東洋紡績社製）、抗ストレプトアビジン抗体（Ｖｅｃｔｏｒ Ｌａｂｏｒａｔｏｒｉｅｓ社製）を２００μｇ／ｍｌの濃度でスポットし、２時間反応させてアレイを作製した。スポットの大きさは直径約５００μｍである。以上の表面反応の化学式を図５に示す。
【００４６】
抗体を固定化した表面をリン酸緩衝液で洗浄した後、未反応のスクシンイミド基をブロックするため濃度１０ｍｇ／ｍｌのｍＰＥＧ−ＮＨ2（Ｎｅｋｔａｒ Ｔｈｅｒａｐｅｕｔｉｃｓ社製）のリン酸緩衝液溶液に金スライドを１５時間浸漬し、リン酸緩衝液で洗浄して抗体アレイを得た。この場合、自己組織化表面形成によって密に表面に導入されたカルボキシル基が未反応のまま残るため、基板にマイナス電荷が残る。
【００４７】
抗体アレイを形成させた金チップをＭｕｌｔｉＳＰＲｉｎｔｅｒ ＳＰＲイメージング機器（東洋紡績社製）にセットし、リン酸緩衝液をフローセル内に流した。ＳＰＲからのシグナルが安定したのを確認した後に、Ｔｈｙｍｕｓ抽出液をリン酸緩衝液で１０倍希釈した液を約１５分間ＳＰＲ装置に流しいれ、次にリン酸緩衝液を流しいれて洗浄した。その際のシグナル変化を図６に示す。抗アクチン抗体を固定化したスポットにおいてＳＰＲのシグナルが大きく増大する結果が得られたものの、その他のスポットにおいても、シグナルの増大がみられ、その区別はつきにくい。リン酸緩衝液を流している状態を基準とし、１０×Ｔｈｙｍｕｓを流す前後のシグナル差の結果（前後変化）を表１に示す。また、１０×Ｔｈｙｍｕｓを流しいれ始めてから１分後と１５分後のシグナルの差（流入中変化）についても表１に示す。抗アクチン抗体におけるシグナル変化は、他の抗体に比べて大きいものの、差が小さく検出できたかどうか判断がつきにくい。アクチン以外の抗体におけるシグナル増大は、基板の荷電による非特異的吸着であると考えることができる。
【００４８】
【表１】
2005164348.tif 000002
【００４９】
続けて、この抗体アレイに、１００ｎｇ／ｍｌの濃度でＫＯＤ（東洋紡績社製）を添加した１０×Ｔｈｙｍｕｓを流した時のＳＰＲシグナル変化を図７に示す。抗ＫＯＤ抗体におけるシグナルの上昇は大きく、ＫＯＤを検出できていると言えるが、実施例と比べてシグナル増大は小さい。さらに、続けて１００ｎｇ／ｍｌの濃度でストレプトアビジン（ＳＡ：Ｖｅｃｔｏｒ Ｌａｂｏｒａｔｏｒｉｅｓ社製）を添加した１０×Ｔｈｙｍｕｓを流した時のＳＰＲシグナル変化を図８に示す。抗ＳＡ抗体におけるシグナルについても、実施例と比べると小さいと結果であった。非特異吸着によって固定化した抗体が十分に機能しなくなっていると思われる。
【産業上の利用可能性】
【００５０】
本発明により、表面に導入した非イオン性官能基にヘテロ二官能型親水性高分子を共有結合的に固定化し、親水性高分子を介して生体分子を表面に固定化することで、非特異吸着がなく精密な生体分子の相互作用を観察する方法を提供し、産業界に貢献すること大である。
【図面の簡単な説明】
【００５１】
【図１】ヒドロキシル基にヘテロ二官能型ＰＥＧを反応させ、抗体を表面に固定化する表面化学反応（実施例）
【図２】１０×Ｔｈｙｍｕｓを流しいれたときのＳＰＲシグナル変化（実施例）
【図３】１００ｎｇ／ｍｌ ＫＯＤを添加した１０×Ｔｈｙｍｕｓを流しいれたときのＳＰＲシグナル変化（実施例）
【図４】１００ｎｇ／ｍｌ ＳＡを添加した１０×Ｔｈｙｍｕｓを流しいれたときのＳＰＲシグナル変化（実施例）
【図５】カルボキシル基に抗体を直接固定化する表面化学反応（比較例）
【図６】１０×Ｔｈｙｍｕｓを流しいれたときのＳＰＲシグナル変化（比較例）
【図７】１００ｎｇ／ｍｌ ＫＯＤを添加した１０×Ｔｈｙｍｕｓを流しいれたときのＳＰＲシグナル変化（比較例）
【図８】１００ｎｇ／ｍｌ ＳＡを添加した１０×Ｔｈｙｍｕｓを流しいれたときのＳＰＲシグナル変化（比較例）
【図１】
2005164348.tif 000003
【図２】
2005164348.tif 000004
【図３】
2005164348.tif 000005
【図４】
2005164348.tif 000006
【図５】
2005164348.tif 000007
【図６】
2005164348.tif 000008
【図７】
2005164348.tif 000009
【図８】
2005164348.tif 000010